(57)【要約】【課題】録画サーバとＴＶ放送受信装置との機器間接続認証を安全に行うことができ、生産ラインでの接続や修理後の接続も容易に行うことができる機器間接続認証方法を提供する。【解決手段】放送を受信するデジタル放送受信装置１０１と、デジタル放送受信装置１０１で受信したコンテンツを録画する録画サーバ１１０との間の接続認証を行う機器間接続認証方法であって、デジタル放送受信装置１０１内、および録画サーバ１１０内のそれぞれに、装置固有の固有情報を保有させ、デジタル放送受信装置１０１と録画サーバ１１０との初回の接続の際、デジタル放送受信装置１０１側で接続認証の確立判断を行い、接続認証の確立成功により、デジタル放送受信装置１０１と録画サーバ１１０のそれぞれに、接続先の固有情報を登録する。【選択図】図１
2008078970.tif 000002
【特許請求の範囲】
【請求項１】
放送を受信する放送受信装置と、前記放送受信装置で受信したコンテンツを録画する情報処理装置との間の接続認証を行う機器間接続認証方法であって、
前記放送受信装置内、および前記情報処理装置内のそれぞれに、装置固有の固有情報を保有させ、
前記放送受信装置と前記情報処理装置との初回の接続の際、前記放送受信装置側で前記接続認証の確立判断を行い、前記接続認証の確立成功により、前記放送受信装置と前記情報処理装置のそれぞれに、接続先の前記固有情報を登録することを特徴とする機器間接続認証方法。
【請求項２】
請求項１記載の機器間接続認証方法において、
前記固有情報は、書き換え不可の記録領域に保有されることを特徴とする機器間接続認証方法。
【請求項３】
請求項１記載の機器間接続認証方法において、
前記固有情報は、前記放送受信装置および前記情報処理装置内のハードウエア固有の情報から演算されて生成されることを特徴とする機器間接続認証方法。
【請求項４】
請求項１〜３のいずれか１項記載の機器間接続認証方法において、
前記接続認証の確立成功後の前記放送受信装置と前記情報処理装置との接続の際、前記放送受信装置側で、前記接続認証の認証判断を行い、前記接続認証の認証成功により、前記放送受信装置の前記情報処理装置での利用を可能とすることを特徴とする機器間接続認証方法。
【請求項５】
請求項１〜４のいずれか１項記載の機器間接続認証方法において、
前記放送受信装置内、および前記情報処理装置に接続されたセキュリティメディア内のそれぞれに、同一のアルゴリズムによる演算機能を保有させ、
前記接続認証の無視を行う際、前記放送受信装置内、および前記情報処理装置に接続されたセキュリティメディア内において保有されたアルゴリズムによる演算をそれぞれ行い、前記放送受信装置側で、前記演算結果の判断を行い、前記演算結果が正しい場合は、一時的に接続認証を無視し、前記放送受信装置の前記情報処理装置での利用を可能とすることを特徴とする機器間接続認証方法。
【請求項６】
請求項１〜４のいずれか１項記載の機器間接続認証方法において、
前記放送受信装置内、および前記情報処理装置に接続されたセキュリティメディア内のそれぞれに、同一のアルゴリズムによる演算機能を保有させ、
前記接続認証の解除を行う際、前記放送受信装置内、および前記情報処理装置に接続されたセキュリティメディア内において保有されたアルゴリズムによる演算をそれぞれ行い、前記放送受信装置側で、前記演算結果の判断を行い、前記演算結果が正しい場合は、前記放送受信装置と前記情報処理装置のそれぞれに登録した接続先の前記固有情報を削除し、接続認証を解除することを特徴とする機器間接続認証方法。
【請求項７】
請求項５または６記載の機器間接続認証方法において、
前記放送受信装置と前記情報処理装置との初回の接続の際、前記放送受信装置内、および前記情報処理装置に接続されたセキュリティメディア内において保有されたアルゴリズムによる演算をそれぞれ行い、前記放送受信装置側で、前記演算結果の判断を行い、前記演算結果が正しい場合に、前記接続認証の確立判断を行うことを特徴とする機器間接続認証方法。
【請求項８】
請求項７記載の機器間接続認証方法において、
前記情報処理装置に接続されたセキュリティメディア内に前記アルゴリズムによる演算のためのプログラムを格納し、前記アルゴリズムによる演算は、前記プログラムを前記セキュリティメディア内の演算部で実行することにより行うことを特徴とする機器間接続認証方法。
【請求項９】
請求項７記載の機器間接続認証方法において、
前記情報処理装置に接続されたセキュリティメディア内に前記アルゴリズムによる演算のための情報を格納し、前記アルゴリズムによる演算は、前記アルゴリズムによる演算のための情報を用いて前記情報処理装置内で行うことを特徴とする機器間接続認証方法。
【請求項１０】
請求項５〜９のいずれか１項記載の機器間接続認証方法において、
前記放送受信装置内、および前記情報処理装置に接続されたセキュリティメディア内のそれぞれに保有されたアルゴリズムによる演算機能は、外部からの攻撃に対して安全な状態で保有されることを特徴とする機器間接続認証方法。
【発明の詳細な説明】
【技術分野】
【０００１】
本発明は、デジタル放送受信装置と録画サーバが接続された録画システムにおける機器間接続認証方法に関し、特に、機器間の認証および認証後の無効・解除制御に適用して有効な技術に関する。
【背景技術】
【０００２】
近年、パソコンなどを録画サーバとして、ＴＶ放送を録画・再生することが行われてきている。
【０００３】
しかし、パソコンにＴＶ放送を受信するチューナなどのＴＶ放送受信装置を内蔵しない場合が多く、その場合には、例えば、特開２００６−７４７０９号公報（特許文献１）などに記載されているような外付けのＴＶ放送受信装置を接続してＴＶ放送を受信していた。
【特許文献１】特開２００６−７４７０９号公報
【発明の開示】
【発明が解決しようとする課題】
【０００４】
近年のＴＶ放送のデジタル化により、著作権保護上の観点から、パソコンなどの録画サーバと外付けのＴＶ放送受信装置は機器間接続認証された１つの組み合わせでしか動作しない仕組みを組み込む必要性がでてきた。
【０００５】
しかしながら、特許文献１に記載の技術では、ＴＶ放送受信装置の確認や登録などは行われておらず、録画サーバと外付けのＴＶ放送受信装置との機器間接続認証を行うことはできず、著作権保護に対応することはできないという問題があった。
【０００６】
また、録画サーバと外付けのＴＶ放送受信装置との機器間接続認証制御を行う場合に、録画サーバはパソコンなどで構成されるため、外部からの攻撃を受けたり、パソコン自体の初期化などが行われる可能性があり、このような攻撃やパソコンの初期化などに対しても、著作権保護を確実にする必要があるが、この機器間接続認証制御を厳格にしすぎると、機器間接続認証の無効・解除ができず、生産ラインでの動作確認による接続や、故障などの場合の修理後の接続に支障がでてしまう問題があった。
【０００７】
そこで、本発明の目的は、録画サーバと外付けのＴＶ放送受信装置との機器間接続認証を安全に行うことができ、生産ラインでの接続や修理後の接続も容易に行うことができる機器間接続認証方法を提供することにある。
【課題を解決するための手段】
【０００８】
本願において開示される発明のうち、代表的なものの概要を簡単に説明すれば、次のとおりである。
【０００９】
本発明による機器間接続認証方法は、放送を受信する放送受信装置と、放送受信装置で受信したコンテンツを録画する情報処理装置との間の接続認証を行う機器間接続認証方法であって、放送受信装置内、および情報処理装置内のそれぞれに、装置固有の固有情報を保有させ、放送受信装置と情報処理装置との初回の接続の際、放送受信装置側で接続認証の確立判断を行い、接続認証の確立成功により、放送受信装置と情報処理装置のそれぞれに、接続先の固有情報を登録するものである。
【００１０】
また、本発明による機器間接続認証方法は、放送受信装置内、および情報処理装置に接続されたセキュリティメディア内のそれぞれに、同一のアルゴリズムによる演算機能を保有させ、接続認証の無視を行う際、放送受信装置内、および情報処理装置に接続されたセキュリティメディア内において保有されたアルゴリズムによる演算をそれぞれ行い、放送受信装置側で、演算結果の判断を行い、演算結果が正しい場合は、一時的に接続認証を無視し、放送受信装置の情報処理装置での利用を可能とするものである。
【００１１】
また、本発明による機器間接続認証方法は、放送受信装置内、および情報処理装置に接続されたセキュリティメディア内のそれぞれに、同一のアルゴリズムによる演算機能を保有させ、接続認証の解除を行う際、放送受信装置内、および情報処理装置に接続されたセキュリティメディア内において保有されたアルゴリズムによる演算をそれぞれ行い、放送受信装置側で、演算結果の判断を行い、演算結果が正しい場合は、放送受信装置と情報処理装置のそれぞれに登録した接続先の固有情報を削除し、接続認証を解除するものである。
【発明の効果】
【００１２】
本願において開示される発明のうち、代表的なものによって得られる効果を簡単に説明すれば以下のとおりである。
【００１３】
本発明によれば、セキュリティを完全にすることができるＴＶ放送受信装置側で機器間接続認証制御の最終判断を行うことにより、外部からの攻撃などがあっても、安全に機器間接続認証制御を行うことができる。
【００１４】
また、安全に機器間接続認証の無効や解除を行うことができ、生産ラインでの動作確認や修理後の接続を容易に行うことができる。
【発明を実施するための最良の形態】
【００１５】
以下、本発明の実施の形態を図面に基づいて詳細に説明する。なお、実施の形態を説明するための全図において、同一の部材には原則として同一の符号を付し、その繰り返しの説明は省略する。
【００１６】
図１により、本発明の一実施の形態に係る機器間接続認証方法を適用した録画システムの構成について説明する。図１は本発明の一実施の形態に係る機器間接続認証方法を適用した録画システムの構成を示す構成図である。
【００１７】
図１において、録画システムは、放送受信装置であるデジタル放送受信装置１０１、デジタル放送受信装置１０１で受信したコンテンツを録画する情報処理装置である録画サーバ１１０から構成されている。
【００１８】
デジタル放送受信装置１０１は、外部Ｉ／Ｆ（ＵＳＢ、ネットワーク、ＩＥＥＥ１３９４、シリアル等のインタフェース）１０２、ペアリング無視・ペアリング解除用アルゴリズムを有し、機器間接続認証（以下、ペアリングという）のコントロールと不揮発性メモリへのアクセスを行う機器認証制御部１０３、不揮発性メモリ（例えば、Ｆｌａｓｈ  ＲＯＭ等）１０４、デジタル放送の受信処理を行うデジタル放送受信モジュール１０５、デジタル放送アンテナ１０６、デジタル放送受信モジュール１０５の出力データの外部Ｉ／Ｆへの出力を制御する出力制御部１０７から構成されている。
【００１９】
また、録画サーバ１１０は、デジタル放送受信装置１０１と接続する外部Ｉ／Ｆ１０８、内部バス１０９、ＣＰＵ（ＰＣのＣＰＵ、またはＳＴＢの制御用マイコン）１１１、揮発性メモリ１１２、ペアリング無視・ペアリング解除用アルゴリズムを備えるプログラム１１８を格納し、その安全に格納された秘密のアルゴリズムによってペアリングの無視と解除を行うセキュリティメディア（セキュリティ対応ＳＤカードやＵＳＢドングル等のメディア）１１３、セキュリティメディア１１３の制御を行うセキュリティメディア制御部１１４、録画したコンテンツを記憶する大容量記憶装置［ハードディスク（ＨＤＤ）や大容量フラッシュメモリ等］１１６、大容量記憶装置１１６を制御する大容量記憶装置制御部１１５から構成されている。
【００２０】
デジタル放送受信装置１０１と録画サーバ１１０は、ＵＳＢ、ネットワーク、ＩＥＥＥ１３９４、シリアル等の通信経路１１７により接続されている。
【００２１】
また、機器認証制御部１０３のペアリング無視・ペアリング解除用アルゴリズムと、セキュリティメディア１１３のペアリング無視・ペアリング解除用アルゴリズムは同一のものであり、このアルゴリズムは、それぞれ、外部からの攻撃に対して、安全な状態に保たれている。
【００２２】
また、このアルゴリズムは、録画サーバ１１０内には存在せず、セキュリティが確保されたセキュリティメディア１１３内に存在するため、録画サーバ１１０の攻撃に対しても安全である。
【００２３】
また、セキュリティメディア１１３は、録画システムの生産メーカ側のみで保有されるものであり、生産時の工場内や修理センタ内のみで使用されるものであり、生産メーカ側以外で保有、使用はできないように管理されている。
【００２４】
また、デジタル放送受信装置１０１と録画サーバ１１０には、それぞれ固有の固有情報を持ち、この固有情報は、セキュリティが保たれた記録部に格納したり、ハードウエアに固有の情報や、ＢＩＯＳやフラッシュメモリに固有の情報などを用いて生成して、書き換えや同一の情報の生成などができないものを使用している。
【００２５】
次に、図２および図３により、本発明の一実施の形態に係る機器間接続認証方法を適用した録画システムのペアリング制御動作について説明する。図２は本発明の一実施の形態に係る機器間接続認証方法を適用した録画システムのペアリング制御動作を示すフローチャート（その１）、図３は本発明の一実施の形態に係る機器間接続認証方法を適用した録画システムのペアリング制御動作を示すフローチャート（その２）である。
【００２６】
まず、ペアリング確立、通常ペアリングの動作としては、図２に示すように、録画サーバ１１０で、ペアリング確立、通常ペアリング、ペアリング無視、ペアリング解除のモードを判断し（ステップ７０１）、ステップ７０１でペアリング確立、通常ペアリングのモードが判断され、録画サーバ１１０において、デジタル放送受信装置１０１の固有情報の登録済か否かを確認し（ステップ７０２）、ステップ７０２での確認の結果、登録済でない場合（ステップ７０３のＮＯ）、デジタル放送受信装置１０１に録画サーバ１１０の固有情報を送信する（ステップ７１２）。
【００２７】
また、ステップ７０２での確認の結果、登録済である場合（ステップ７０３のＹＥＳ）、まずは、デジタル放送受信装置１０１から、デジタル放送受信装置１０１の固有情報を送信し（ステップ７０４）、デジタル放送受信装置１０１から録画サーバ１１０への通信７０５により、録画サーバ１１０でデジタル放送受信装置１０１の固有番号を受信する（ステップ７０６）。
【００２８】
そして、録画サーバ１１０において、受信したデジタル放送受信装置１０１の固有情報と登録済のデジタル放送受信装置１０１の固有情報を比較し、固有番号が正しいか否かを確認する（ステップ７０７）。
【００２９】
ステップ７０７での確認の結果、固有番号が正常でない場合（ステップ７０８のＮＯ）、デジタル放送受信装置１０１に異常の旨を通知し（ステップ７０９）、デジタル放送受信装置１０１では、録画サーバ１１０からデジタル放送受信装置１０１への通信７１０により、異常の旨の通知を受信し、通常ペアリング失敗状態を決定する（ステップ７１１）。
【００３０】
また、ステップ７０７での確認の結果、固有番号が正常である場合（ステップ７０８のＹＥＳ）、デジタル放送受信装置１０１に録画サーバ１１０の固有情報を送信する（ステップ７１２）。
【００３１】
そして、録画サーバ１１０からデジタル放送受信装置１０１への通信７１３により、デジタル放送受信装置１０１において、録画サーバ１１０の固有情報を受信し（ステップ７１４）、デジタル放送受信装置１０１において、すでに録画サーバ１１０の固有情報が登録済か否か確認する（ステップ７１５）。
【００３２】
ステップ７１５での確認の結果、登録済でない場合（ステップ７１６のＮＯ）、デジタル放送受信装置１０１において、録画サーバ１１０の固有情報を登録し（ステップ７１７）、デジタル放送受信装置１０１から、ペアリング確立成功の旨を録画サーバ１１０に通知し（ステップ７１８）、デジタル放送受信装置１０１において、ペアリング確立成功状態を決定する（ステップ７２０）。
【００３３】
また、ステップ７１５での確認の結果、登録済である場合（ステップ７１６のＹＥＳ）、デジタル放送受信装置１０１において、録画サーバ１１０から受信した録画サーバ１１０の固有情報と登録済録画サーバ１１０の固有情報を比較し、固有番号が正しいか否かを確認する（ステップ７２１）。
【００３４】
ステップ７２１での確認の結果、固有番号が正常でない場合（ステップ７２２のＮＯ）、通常ペアリング失敗状態を決定する（ステップ７２３）。
【００３５】
また、ステップ７２１での確認の結果、固有番号が正常である場合（ステップ７２２のＹＥＳ）、デジタル放送受信装置１０１から、通常ペアリング成功の旨を録画サーバ１１０に通知し（ステップ７２４）、デジタル放送受信装置１０１において、通常ペアリング成功状態を決定する（ステップ７２５）。
【００３６】
そして、ステップ７１８またはステップ７２４でのデジタル放送受信装置１０１から録画サーバ１１０への通信により、録画サーバ１１０において、ペアリング確立成功または通常ペアリング成功通知を受信し（ステップ７２６）、録画サーバ１１０において、デジタル放送受信装置１０１の固有情報を登録する（ステップ７２７）。
【００３７】
以上の処理により、デジタル放送受信装置１０１側で、通常ペアリング失敗状態が決定されると、デジタル放送受信装置１０１は使用不可となり、録画サーバ１１０でのＴＶ放送の録画を行うことはできず、ペアリング確立成功状態または通常ペアリング成功状態が決定されるとデジタル放送受信装置１０１は使用可能となり、録画サーバ１１０でのＴＶ放送の録画を行うことができる状態となる。
【００３８】
このように、本実施の形態では、セキュリティ対策を完全に行うことが可能な、デジタル放送受信装置１０１側でペアリング制御の最終判断を行っているため、確実なペアリング制御を行うことが可能である。
【００３９】
次に、ペアリング無視、ペアリング解除の動作としては、図２のステップ７０１でペアリング無視、ペアリング解除のモードが判断され、図３に示すように、デジタル放送受信装置１０１より、録画サーバ１１０に、無作為に生成されたペアリング無視ワードを送信する（ステップ８０２）。
【００４０】
そして、デジタル放送受信装置１０１から録画サーバ１１０への通信８０３により、録画サーバ１１０において、デジタル放送受信装置１０１からのペアリング無視ワードを受信する（ステップ８０４）。
【００４１】
そして、録画サーバ１１０において、セキュリティメディア１１３にて、ペアリング無視・ペアリング解除用アルゴリズムにより、受信したペアリング無視ワードを演算し、変換済ペアリング無視ワードを生成し（ステップ８０５）、デジタル放送受信装置１０１に変換済ペアリング無視ワードを送信する（ステップ８０６）。
【００４２】
そして、録画サーバ１１０から、デジタル放送受信装置１０１への通信８０７により、デジタル放送受信装置１０１において、変換済ペアリング無視ワードを受信し（ステップ８０８）、受信した変換済ペアリング無視ワードが、受信すべき正しい変換済ペアリング無視ワードと一致するか比較し、変換済ペアリング無視ワードは正しいか否かを確認する（ステップ８０９）。
【００４３】
ステップ８０９での確認の結果、変換済ペアリング無視ワードが正常でない場合（ステップ８１０のＮＯ）、ペアリング無視失敗状態を決定する（ステップ８１１）。
【００４４】
また、ステップ８０９での確認の結果、変換済ペアリング無視ワードが正常である場合（ステップ８１０のＹＥＳ）、デジタル放送受信装置１０１において、受信した変換済ペアリング無視ワードが正しかった旨を録画サーバ１１０に通知する（ステップ８１２）。
【００４５】
そして、デジタル放送受信装置１０１から、録画サーバ１１０への通信８１３により、録画サーバ１１０において、ペアリング無視成功した旨を受信する（ステップ８１４）。
【００４６】
そして、ペアリング無視、ペアリング解除のモードを判断し（ステップ８１５）、ステップ８１５でペアリング無視のモードであれば、デジタル放送受信装置１０１にペアリング無視動作を依頼する（ステップ８１６）。
【００４７】
そして、録画サーバ１１０から、デジタル放送受信装置１０１への通信８１７により、デジタル放送受信装置１０１において、ペアリング無視成功状態を決定する（ステップ８１８）。
【００４８】
また、ステップ８１５でペアリング解除のモードであれば、デジタル放送受信装置１０１にペアリング解除動作を依頼する（ステップ８１９）。
【００４９】
そして、録画サーバ１１０から、デジタル放送受信装置１０１への通信８２０により、デジタル放送受信装置１０１において、ペアリング解除のために、デジタル放送受信装置１０１に登録されている録画サーバ１１０の固有情報を削除し（ステップ８２１）、ペアリング解除成功状態を決定し（ステップ８２２）、録画サーバ１１０において、デジタル放送受信装置１０１の固有番号の登録を削除する（ステップ８２３）。
【００５０】
以上の処理により、デジタル放送受信装置１０１側で、ペアリング無効状態が決定されると、録画サーバ１１０では、登録された固有情報に関係なく、デジタル放送受信装置１０１を使用可能となり、動作確認のテストなど行うことができる状態となる。
【００５１】
また、デジタル放送受信装置１０１側で、ペアリング解除状態が決定されると、登録された固有情報が削除され、録画サーバ１１０とデジタル放送受信装置１０１が出荷前の初期状態となる。
【００５２】
このように、本実施の形態では、生産ラインなどでは、デジタル放送受信装置１０１側で、ペアリング無効状態を決定し、動作確認などのテストを容易に行うことができ、デジタル放送受信装置１０１側で、ペアリング解除状態を決定することにより、出荷前の状態にすることができ、故障時などの修理後の接続を容易に行うことが可能である。
【００５３】
次に、図４〜図６により、本発明の一実施の形態に係る機器間接続認証方法による接続状態の具体例について説明する。図４は本発明の一実施の形態に係る機器間接続認証方法によるペアリング接続の具体例を説明するための説明図、図５は本発明の一実施の形態に係る機器間接続認証方法による工場によるラインテスト接続の具体例を説明するための説明図、図６は本発明の一実施の形態に係る機器間接続認証方法によるデジタル放送受信装置の交換時の接続の具体例を説明するための説明図である。
【００５４】
図４に示すように、本実施の形態では、出荷時には、録画サーバ１１０とデジタル放送受信装置１０１のペア［ペア１（２０１）、ペア２（２０７）］があり、それぞれ通信経路１１７により接続し、図２に示すフローチャートの処理を実施することにより、ペアリングが確立し、ペアリング確立後は、同じペアでの接続以外の接続（例えば、図４の２０４に示す接続）は、図２に示すフローチャートの処理により通常ペアリングが失敗となるため使用できなくなる。
【００５５】
これにより、デジタル放送の録画システムなどで、録画サーバ１１０とデジタル放送受信装置１０１の１対１のペアで許可されるシステムなどでも使用可能となり、著作権保護が必要な録画システムを通信経路１１７としてＵＳＢなどの汎用的なインタフェースを用いても実現可能である。
【００５６】
また、図５に示すように、出荷前の工場によるラインテスト接続では、テスト用録画サーバ１２０に複数のデジタル放送受信装置１０１を接続して、図３に示すフローチャートの処理を実施することにより、一時的にペアリングを無効とすることができ、出荷前のラインテストを容易に行うことが可能である。
【００５７】
この際、デジタル放送受信装置１０１に録画サーバ１１０の固有情報が登録されていても、ペアリング無効となり、テスト用録画サーバ１２０では、デジタル放送受信装置１０１に登録されている録画サーバ１１０の固有情報に関係なく動作させることができるため、デジタル放送受信装置１０１を交換せずに修理する場合であっても、修理後の動作テストなどを行うことが可能であり、修理後は、そのまま、元のペアリングが確立した録画サーバ１１０での使用が可能である。
【００５８】
また、図６に示すように、ペアリングが確立した録画サーバ１１０とデジタル放送受信装置１０１のペア４０１で、デジタル放送受信装置１０１が故障し、交換修理となった場合には、ペアとなった録画サーバに交換修理された正常なデジタル放送受信装置１０１を接続し、図３に示すフローチャートの処理を実施することにより、ペアリングを解除することができ、解除後は、図２に示すフローチャートの処理を実施することにより、録画サーバ１１０と交換修理した正常なデジタル放送受信装置１０１とのペアリングを確立することが可能である。
【００５９】
また、録画サーバ１１０側では、パソコンなどのリカバリ処理や、デジタル放送受信装置１０１を動作させるためのソフトウエアの再インストールなどをすることにより、ペアリングの情報は無くなるため、その際には、交換修理で正常となったデジタル放送受信装置１０１を録画サーバ１１０に接続すれば、図２に示すフローチャートの処理を実施して、再度ペアリングが確立し、デジタル放送受信装置１０１を使用できるようにすることも可能である。この際は、デジタル放送受信装置１０１の修理時に、録画サーバ１１０も一緒に修理に出す必要はない。
【００６０】
次に、図７により、本発明の一実施の形態に係る機器間接続認証方法による修理対応の具体例について説明する。図７は本発明の一実施の形態に係る機器間接続認証方法による修理対応の具体例を説明するための説明図である。
【００６１】
図７に示すように、出荷時には、録画サーバ１（１１０）とデジタル放送受信装置１（１０１）のペア５０１で出荷され、購入後、最初に録画サーバ１（１１０）とデジタル放送受信装置１（１０１）を接続すると、ペアリングが確立し、ペアリングが確立した録画サーバ１（１１０）とデジタル放送受信装置１（１０１）のペア５０６となる。
【００６２】
その後、デジタル放送受信装置１（１０１）が故障した場合には、ペアリングが確立した録画サーバ１（１１０）とデジタル放送受信装置１（１０１）のペア５０６を回収し、ペアリングが確立した録画サーバ１（１１０）とデジタル放送受信装置１（１０１）のペアリングの解除５０２を行い、故障したデジタル放送受信装置１（１０１）をデジタル放送受信装置２（１０１）に交換５０３して、ペアリングが確立した録画サーバ１（１１０）とデジタル放送受信装置２（１０１）のペア５０７として返却する。
【００６３】
そして、ペアリングが確立した録画サーバ１（１１０）とデジタル放送受信装置２（１０１）を接続することにより、ペアリングが再確立し、ペアリングが確立した録画サーバ１（１１０）とデジタル放送受信装置２（１０１）のペア５０８となる。
【００６４】
このように、修理対応することにより、録画サーバ１１０とデジタル放送受信装置１０１のペアリングを確実にすることができ、修理する側では、録画サーバ１１０にセキュリティメディア１１３を接続して、ペアリングを解除することができ、修理対応を容易にすることが可能である。
【００６５】
次に、図８により、本発明の一実施の形態に係る機器間接続認証方法によるペアリング状態の遷移について説明する。図８は本発明の一実施の形態に係る機器間接続認証方法によるペアリング状態の遷移を説明するための説明図である。
【００６６】
図８に示すように、ペアリング開始後（ステップ６０１）、ペアリング確立モード６０２は、未ペアリングの録画サーバ１１０と未ペアリングのデジタル放送受信装置１０１を、ペアリング確立状態にするモードであり、この制御が成功すれば、ペアリング成功でシステムが動作し（ステップ６０６）、ペアリング失敗でシステムが停止する（ステップ６０７）。
【００６７】
また、通常ペアリングモード６０３は、片方または両方がペアリング済である録画サーバ１１０とデジタル放送受信装置１０１において、ペアリング確立されている正しい組合せであるか確認するモードであり、この制御が成功すれば、ペアリング成功でシステムが動作し（ステップ６０６）、ペアリング失敗でシステムが停止する（ステップ６０７）。
【００６８】
また、ペアリング無視モード６０４は、ペアリングを一時的に無視するモードであり、ペアリング無視が成功すれば、ペアリングに関係なく、ペアリング成功となりシステムが動作し（ステップ６０６）、ペアリング無効の失敗でペアリング失敗となりシステムが停止する（ステップ６０７）。
【００６９】
また、ペアリング解除モード６０５は、片方または両方がペアリング済である録画サーバ１１０とデジタル放送受信装置１０１において、両方を未ペアリング状態にするモードであり、ペアリング解除の成功で、ペアリングが解除され、再度ペアリングが行われることにより、ペアリング成功となりシステムが動作し（ステップ６０６）、ペアリング解除の失敗でペアリング失敗となりシステムが停止する（ステップ６０７）。
【００７０】
以上のように、各モードにより、ペアリング制御を行うことにより、ペアリング制御を容易に行うことが可能であり、このペアリング成功、ペアリング失敗の判断は、デジタル放送受信装置１０１側で行われることにより、安全にペアリング制御を行うことが可能である。
【００７１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７２】
例えば、本実施の形態では、ペアリングの確立の際には、セキュリティメディア１１３を使用していないが、ペアリングの確立の際にも、ペアリング無効、ペアリング解除の場合と同様に、ペアリング確立ワードなどを用いて、録画サーバ１１０とデジタル放送受信装置１０１のアルゴリズムの同一性を確認して、ペアリングを確立することも可能である。
【００７３】
また、本実施の形態では、セキュリティメディア１１３のプログラム１１８により、ペアリング無視・ペアリング解除用アルゴリズムの演算を行っているが、演算自体が、セキュリティメディア制御部１１４で行い、アルゴリズムを特定するデータなどをセキュリティメディア１１３に格納することも可能である。
【産業上の利用可能性】
【００７４】
本発明は、デジタル放送受信装置と録画サーバが接続された録画システムにおける機器間接続認証方法に関し、機器間の認証および認証後の無効・解除制御行うシステムに適用可能である。
【図面の簡単な説明】
【００７５】
【図１】本発明の一実施の形態に係る機器間接続認証方法を適用した録画システムの構成を示す構成図である。
【図２】本発明の一実施の形態に係る機器間接続認証方法を適用した録画システムのペアリング制御動作を示すフローチャート（その１）である。
【図３】本発明の一実施の形態に係る機器間接続認証方法を適用した録画システムのペアリング制御動作を示すフローチャート（その２）である。
【図４】本発明の一実施の形態に係る機器間接続認証方法によるペアリング接続の具体例を説明するための説明図である。
【図５】本発明の一実施の形態に係る機器間接続認証方法による工場によるラインテスト接続の具体例を説明するための説明図である。
【図６】本発明の一実施の形態に係る機器間接続認証方法によるデジタル放送受信装置の交換時の接続の具体例を説明するための説明図である。
【図７】本発明の一実施の形態に係る機器間接続認証方法による修理対応の具体例を説明するための説明図である。
【図８】本発明の一実施の形態に係る機器間接続認証方法によるペアリング状態の遷移を説明するための説明図である。
【符号の説明】
【００７６】
１０１…デジタル放送受信装置、１０３…機器認証制御部、１０５…デジタル放送受信モジュール、１０６…デジタル放送アンテナ、１０７…出力制御部、１０９…内部バス、１１０…録画サーバ、１１１…ＣＰＵ、１１２…揮発性メモリ、１１３…セキュリティメディア、１１４…セキュリティメディア制御部、１１５…大容量記憶装置制御部、１１６…大容量記憶装置、１１７…通信経路、１１８…プログラム、１２０…テスト用録画サーバ。
【図１】
2008078970.tif 000003
【図２】
2008078970.tif 000004
【図３】
2008078970.tif 000005
【図４】
2008078970.tif 000006
【図５】
2008078970.tif 000007
【図６】
2008078970.tif 000008
【図７】
2008078970.tif 000009
【図８】
2008078970.tif 000010